(57)【要約】【課題】  波長ロックを誘導するための広い波長帯域を有する光の損失を最小化するための広帯域光モジュールを提供する。【解決手段】  本発明による光通信用光線路上に配置された広帯域光モジュールは、広い波長帯域の下り光を生成するための下り広帯域光源と、広い波長帯域の上り光を生成するための上り広帯域光源と、多重化された下り及び上り光信号を出力するための第１のサーキュレーターと、多重化された上り及び下り光信号を出力するための第２のサーキュレーターと、光通信用光線路から入力された多重化された上り及び下り光信号を分割して第１及び第２のサーキュレーターに各々結合させるための少なくとも一つの光結合器と、多重化された下り及び上り光信号の中で光結合器で分割された一部から多重化された上り及び下り光信号各々の強度を監視するための少なくとも一つの監視手段とを有する。【選択図】  図１
2006054874.tif 000002
【特許請求の範囲】
【請求項１】
光通信用光線路上に配置された広帯域光モジュールであって、
広い波長帯域の下り光を生成するための下り広帯域光源と、
広い波長帯域の上り光を生成するための上り広帯域光源と、
多重化された下り及び上り光信号を出力するための第１のサーキュレーターと、
多重化された上り及び下り光信号を出力するための第２のサーキュレーターと、
前記光通信用光線路から入力された前記多重化された上り及び下り光信号を分割して、前記第１及び第２のサーキュレーターに各々結合させるための少なくとも一つの光結合器と、
多重化された前記下り及び上り光信号の中で、前記光結合器で分割された一部から前記多重化された上り及び下り光信号各々の強度を監視するための少なくとも一つの監視手段と、
を有することを特徴とする広帯域光モジュール。
【請求項２】
前記広帯域光モジュールは、
前記第１及び第２のサーキュレーターの間に配置され前記光通信用光線路に接続する、少なくとも一つの波長選択結合器をさらに有することを特徴とする請求項１に記載の広帯域光モジュール。
【請求項３】
光通信用光線路上に配置された広帯域光モジュールであって、
広い波長帯域の下り光を生成するための下り広帯域光源と、
広い波長帯域の上り光を生成するための上り広帯域光源と、
第１乃至第３のポートを有し、前記光通信用光線路と接続された前記第１のポートに入力された多重化された下り光信号を第２のポートに出力し、前記第３のポートに入力された多重化された上り光信号を第１のポートに出力するための第１のサーキュレーターと、
第１乃至第３のポートを有し、前記光通信用光線路と接続された前記第１のポートに入力された多重化された上り光信号を前記第２のポートに出力し、前記第３のポートに入力された多重化された下り光信号を前記第１のポートに出力するための第２のサーキュレーターと、
前記第１のサーキュレーターの第３のポートと前記第２のサーキュレーターの第２のポートとに接続され、前記下り広帯域光源から入力された前記下り光を前記第１のサーキュレーターの第３のポートに出力する第１の光結合器と、
前記第１のサーキュレーターの第２のポートと前記第２のサーキュレーターの第３のポートとに接続され、前記上り広帯域光源から入力された前記上り光を前記第２のサーキュレーターの第３のポートに出力する第２の光結合器と、
を有することを特徴とする広帯域光モジュール。
【請求項４】
前記第１の光結合器は、前記第２のサーキュレーターから入力を受けた多重化された前記上り光信号の一部を分割することを特徴とする請求項３に記載の広帯域光モジュール。
【請求項５】
前記第２の光結合器は、前記第１のサーキュレーターから入力を受けた多重化された前記下り光信号の一部を分割することを特徴とする請求項３に記載の広帯域光モジュール。
【請求項６】
前記広帯域光モジュールは、
前記第１の光結合器で分割された前記上り光信号の一部から多重化された前記上り光信号の強度を監視するための第１の監視手段をさらに有することを特徴とする請求項４に記載の広帯域光モジュール。
【請求項７】
前記広帯域光モジュールは、
前記第２の光結合器で分割された前記下り光信号の一部から多重化された前記下り光信号の強度を監視するための第２の監視手段をさらに有することを特徴とする請求項５に記載の広帯域光モジュール。
【請求項８】
光通信用光線路上に配置された広帯域光モジュールであって、
広い波長帯域の下り光を生成するための下り広帯域光源と、
広い波長帯域の上り光を生成するための上り広帯域光源と、
第１乃至第３のポートを有し、前記下り広帯域光源と接続された前記第１のポートに入力された前記下り光を前記第２のポートに出力し、前記第２のポートに入力された多重化された下り光信号を前記第３のポートに出力するための第１のサーキュレーターと、
第１乃至第３のポートを有し、前記上り広帯域光源と接続された前記第１のポートに入力された前記上り光を前記第２のポートに出力し、前記第２のポートに入力された多重化された上り光信号を前記第３のポートに出力するための第２のサーキュレーターと、
前記第１のサーキュレーターの第２のポートと前記第２のサーキュレーターの第３のポートとの間に配置され、前記光通信用光線路と接続された第１の光結合器と、
前記第１のサーキュレーターの第３のポートと前記第２のサーキュレーターの第２のポートとの間に配置され、前記光通信用光線路と接続された第２の光結合器と、
前記光通信用光線路上に前記第２の光結合器と接続されるように配置されて、前記光通信用光線路から入力された多重化された上り及び下り光信号の一部を分割するための第３の光結合器と、
を有することを特徴とする広帯域光モジュール。
【請求項９】
波長ロックされた下り光信号を生成するための中央基地局と、波長ロックされた上り光信号を生成するための複数の加入者装置と、前記上り光信号を多重化して前記中央基地局に出力し、前記下り光信号を逆多重化して該当加入者装置に出力するための地域基地局と、を有する受動型光加入者網であって、
前記中央基地局は、
波長ロックされた下り光信号を生成するための複数の下り光源と、
該当上り光信号を検出するための複数の上り光検出器と、
前記下り光信号を多重化して前記地域基地局に出力し、前記地域基地局で多重化された前記上り光信号を逆多重化して該当上り光検出器に出力するための多重化/逆多重化器と、
前記多重化/逆多重化器及び前記地域基地局と光通信用光線路により接続し、前記下り光源を波長ロックさせるための下り光及び前記各加入者装置を波長ロックさせるための上り光を生成して、各々の経路を通じて前記下り光を前記多重化/逆多重化器に出力し、前記上り光を前記地域基地局に出力し、前記下り及び上り光信号の一部を分割するための広帯域光モジュールと、
前記広帯域光モジュールで分割された前記下り及び上り光信号の一部から前記下り及び上り光信号を監視するための監視手段と、
を有することを特徴とする受動型光加入者網。
【請求項１０】
前記広帯域光モジュールは、
広い波長帯域の下り光を生成するための下り広帯域光源と、
広い波長帯域の上り光を生成するための上り広帯域光源と、
第１乃至第３のポートを有し、前記下り広帯域光源と接続された前記第１のポートに入力された前記下り光を前記第２のポートに出力し、前記第２のポートに入力された多重化された下り光信号を前記第３のポートに出力するための第１のサーキュレーターと、
第１乃至第３のポートを有し、前記上り広帯域光源と接続された前記第１のポートに入力された前記上り光を前記第２のポートに出力し、前記第２のポートに入力された多重化された上り光信号を前記第３のポートに出力するための第２のサーキュレーターと、
前記第１のサーキュレーターの第２のポートと前記第２のサーキュレーターの第３のポートとの間に配置され、前記光通信用光線路と接続された第１の光結合器と、
前記第１のサーキュレーターの第３のポートと前記第２のサーキュレーターの第２のポートとの間に配置され、前記光通信用光線路と接続された第２の光結合器と、
前記光通信用光線路上に前記第２の光結合器と接続されるように配置されることにより、前記光通信用光線路から入力された多重化された上り及び下り光信号の一部を分割するための第３の光結合器と、
を有することを特徴とする請求項９に記載の受動型光加入者網。
【請求項１１】
前記広帯域光モジュールは、
広い波長帯域の下り光を生成するための下り広帯域光源と、
広い波長帯域の上り光を生成するための上り広帯域光源と、
第１乃至第３のポートを有し、前記光通信用光線路と接続された前記第１のポートに入力された多重化された下り光信号を第２のポートに出力し、前記第３のポートに入力された多重化された上り光信号を第１のポートに出力するための第１のサーキュレーターと、
第１乃至第３のポートを有し、前記光通信用光線路と接続された前記第１のポートに入力された多重化された上り光信号を前記第２のポートに出力し、前記第３のポートに入力された多重化された下り光信号を前記第１のポートに出力するための第２のサーキュレーターと、
前記第１のサーキュレーターの第３のポートと前記第２のサーキュレーターの第２のポートとに接続され、前記下り広帯域光源から入力された前記下り光を前記第１のサーキュレーターの第３のポートに出力する第１の光結合器と、
前記第１のサーキュレーターの第２のポートと前記第２のサーキュレーターの第３のポートとに接続され、前記上り広帯域光源から入力された前記上り光を前記第２のサーキュレーターの第３のポートに出力する第２の光結合器と、
を有し、
前記第１の光結合器は、前記第２のサーキュレーターから入力を受けた多重化された前記上り光信号の一部を分割し、
前記第２の光結合器は、前記第１のサーキュレーターから入力を受けた多重化された前記下り光信号の一部を分割する
ことを特徴とする請求項９に記載の受動型光加入者網。
【発明の詳細な説明】
【技術分野】
【０００１】
本発明は、波長分割多重システムに関し、特に、波長ロックされた光源を含む波長分割多重システムに関する。
【背景技術】
【０００２】
波長分割多重システム(Ｗａｖｅｌｅｎｇｔｈ−ｄｉｖｉｓｉｏｎ−ｍｕｌｔｉｐｌｅｘｅｄ ｓｙｓｔｅｍ)は、複数の加入者装置に付与された固有の波長を利用して超高速広帯域通信サービスを提供し、受動型光加入者網(Ｐａｓｓｉｖｅ ｏｐｔｉｃａｌ ｎｅｔｗｏｒｋ)は、単一回線を通じて複数の加入者装置に各々の光信号を提供する。波長分割多重方式は、各々の加入者装置に固有の波長を割り当てることにより、通信容量の拡張と使用者の保安性が優れる。さらに、新規加入者装置に別の波長を割り当てることにより、通信網内に新規加入者装置の収容が容易である。
【０００３】
最近、波長分割多重方式の通信システムに使用される光源には、非干渉性光により波長ロックされた光信号を生成するための波長ロック光源が使用されている。上述の波長ロック光源は、波長ロックされた光信号を生成するためのファブリー・ペロレーザーと、ファブリー・ペロレーザーの波長ロックを誘導するための広い波長帯域の光を生成する広帯域光源などを含む。広帯域光源としては、エルビウム添加光ファイバー増幅器(Ｅｒｂｉｕｍ ｄｏｐｅｄ ｏｐｔｉｃａｌ ｆｉｂｅｒ)、または、半導体光増幅器(Ｓｅｍｉｃｏｎｄｕｃｔｏｒ ｏｐｔｉｃａｌ ａｍｐｌｉｆｉｅｒ)などを使用することができる。上記光は一種の自然放出光であり、各々の波長に分割された後に、該当ファブリー・ペロレーザーを波長ロックさせるために使用される。
【０００４】
上述のような波長ロック光源を利用した波長分割多重方式の光通信網としては、受動型光加入者網などがある。受動型光加入者網は、波長ロックされた下り光信号を提供するための中央基地局と、該当下り光信号の提供を受けて波長ロックされた上り光信号を生成するための複数の加入者装置と、加入者装置と中央基地局を中継するための地域基地局とを含み、中央基地局と地域基地局は単一の光ファイバーにより接続される。
【０００５】
地域基地局は、多重化/逆多重化器を含むことにより、加入者装置から入力を受けた上り光信号を多重化させて中央基地局に出力し、中央基地局で多重化された下り光信号を逆多重化させて加入者装置に出力する。
【０００６】
中央基地局は、多重化/逆多重化器と、波長ロックされた下り光信号を生成するための下り広帯域光源と、逆多重化された該当上り光信号を検出するための光検出器と、上り及び下り光信号の波長変化を監視して制御するための制御部と、下り及び上り光信号の波長変化及びネットワークの異常の有無を監視するための監視手段と、広い波長帯域の光を生成するための光モジュールとを含む。
【０００７】
光モジュールは、下り広帯域光源を波長ロックさせるための広い波長帯域の下り光を生成する第１の光源と、各々の加入者装置を波長ロックさせるための上り光を生成する第２の光源と、多重化された上り及び下り光信号を光ファイバーを通じて入出力させて、第１及び第２の光源を光ファイバー上で接続させるための第１の光結合器とを含む。
【０００８】
監視手段は、受動型光加入者網の光線路に発生する異常有無及び下りまたは上り光信号を監視して、その波長変化を制御部に伝送する。制御部は、監視手段から伝送を受けた下りまたは上り光信号の波長を既入力された値と比較して、比較結果から得られた波長変化に基づいて受動型光加入者網を制御する。
【０００９】
しかしながら、波長ロック光源を含む従来の波長分割多重方式の受動型光加入者網は、広い波長帯域の光と波長ロックされた光信号を、複数の光結合器を通じて入出力させるので、不必要な強度損失が発生するという問題がある。
【発明の開示】
【発明が解決しようとする課題】
【００１０】
本発明は、上述したような従来技術の問題点を解決するためになされたもので、その目的は、波長ロックを誘導するための広い波長帯域を有する光の損失を最小限とするための広帯域光モジュールを提供することにある。
【課題を解決するための手段】
【００１１】
上記課題を解決するための本発明による光通信用光線路上に配置された広帯域光モジュールは、広い波長帯域の下り光を生成するための下り広帯域光源と、広い波長帯域の上り光を生成するための上り広帯域光源と、多重化された下り及び上り光信号を出力するための第１のサーキュレーターと、多重化された上り及び下り光信号を出力するための第２のサーキュレーターと、光通信用光線路から入力された多重化された上り及び下り光信号を分割して第１及び第２のサーキュレーターに各々結合させるための少なくとも一つの光結合器と、多重化された下り及び上り光信号の中で光結合器で分割された一部から多重化された上り及び下り光信号各々の強度を監視するための少なくとも一つの監視手段とを有することを特徴とする。
【００１２】
また、本発明による光通信用光線路上に配置された広帯域光モジュールは、広い波長帯域の下り光を生成するための下り広帯域光源と、広い波長帯域の上り光を生成するための上り広帯域光源と、第１乃至第３のポートを有し、光通信用光線路と接続された第１のポートに入力された多重化された下り光信号を第２のポートに出力し、第３のポートに入力された多重化された上り光信号を第１のポートに出力するための第１のサーキュレーターと、第１乃至第３のポートを有し、光通信用光線路と接続された第１のポートに入力された多重化された上り光信号を第２のポートに出力し、第３のポートに入力された多重化された下り光信号を第１のポートに出力するための第２のサーキュレーターと、第１のサーキュレーターの第３のポートと第２のサーキュレーターの第２のポートに接続され、下り広帯域光源から入力された下り光を第１のサーキュレーターの第３のポートに出力する第１の光結合器と、第１のサーキュレーターの第２のポートと第２のサーキュレーターの第３のポートに接続され、上り広帯域光源から入力された上り光を第２のサーキュレーターの第３のポートに出力する第２の光結合器とを有することを特徴とする。
【００１３】
また、本発明による光通信用光線路上に配置された広帯域光モジュールは、広い波長帯域の下り光を生成するための下り広帯域光源と、広い波長帯域の上り光を生成するための上り広帯域光源と、第１乃至第３のポートを有し、下り広帯域光源と接続された第１のポートに入力された下り光を第２のポートに出力し、第２のポートに入力された多重化された下り光信号を第３のポートに出力するための第１のサーキュレーターと、第１乃至第３のポートを有し、上り広帯域光源と接続された第１のポートに入力された上り光を第２のポートに出力し、第２のポートに入力された多重化された上り光信号を第３のポートに出力するための第２のサーキュレーターと、第１のサーキュレーターの第２のポートと第２のサーキュレーターの第３のポートとの間に配置され、光通信用光線路と接続された第１の光結合器と、第１のサーキュレーターの第３のポートと第２のサーキュレーターの第２のポートとの間に配置され、光通信用光線路と接続された第２の光結合器と、光通信用光線路上に第２の光結合器と接続されるように配置されて、光通信用光線路から入力された多重化された上り及び下り光信号の一部を分割するための第３の光結合器とを有することを特徴とする。
【００１４】
また、本発明による受動型光加入者網は、波長ロックされた下り光信号を生成するための中央基地局と、波長ロックされた上り光信号を生成するための複数の加入者装置と、上り光信号を多重化して中央基地局に出力し、下り光信号を逆多重化して該当加入者装置に出力するための地域基地局とを有する受動型光加入者網であって、中央基地局は、波長ロックされた下り光信号を生成するための複数の下り光源と、該当上り光信号を検出するための複数の上り光検出器と、下り光信号を多重化して地域基地局に出力し、地域基地局で多重化された上り光信号を逆多重化して該当上り光検出器に出力するための多重化/逆多重化器と、多重化/逆多重化器及び地域基地局と光通信用光線路により接続し、下り光源を波長ロックさせるための下り光及び各加入者装置を波長ロックさせるための上り光を生成して、各々の経路を通じて下り光を多重化/逆多重化器に出力し、上り光を地域基地局に出力し、下り及び上り光信号の一部を分割するための広帯域光モジュールと、広帯域光モジュールで分割された下り及び上り光信号の一部から下り及び上り光信号を監視するための監視手段とを有することを特徴とする。
【発明の効果】
【００１５】
本発明によれば、多重化された下り及び上り光信号を各々別の経路を通じて入出力させることにより、強度損失を最小限とする利点がある。即ち、下り及び上り光信号の強度を監視するための下り及び上り光信号を分割するために必要な光結合器などの結合及び分岐のための光素子の数を、最小限とすることにより、下り及び上り光信号の強度損失を最小化することができる。
【発明を実施するための最良の形態】
【００１６】
以下、本発明の好適な一実施形態について添付図面を参照しつつ詳細に説明する。下記の説明において、本発明の要旨のみを明確にする目的で、関連した公知機能又は構成に関する具体的な説明は省略する。
【００１７】
図１は、本発明の第１の実施形態による広帯域光モジュールの構成を示すブロック図である。図１に示したように、本発明の第１の実施形態による広帯域光モジュール１００は、広い波長帯域の下り光１０４を生成するための下り広帯域光源１１０と、広い波長帯域の上り光１０３を生成するための上り広帯域光源１２０と、第１のサーキュレーター１９０と、第２のサーキュレーター１８０と、第１及び第２の光結合器１６０、１５０とを含む。広帯域光モジュール１００は、波長分割方式の光加入者網を構成する光通信用光線路１０５上に配置されることにより、多重化された下りまたは上り光信号１０１、１０２を入出力する。
【００１８】
第１のサーキュレーター１９０は、第１〜第３のポートを有し、光通信用光線路１０５ａと接続された第１のポートから入力された多重化された下り光信号１０１を第２のポートに出力し、第３のポートに入力された多重化された上り光信号１０２を第１のポートに出力する。
【００１９】
第２のサーキュレーター１８０は、第１〜第３のポートを有し、光通信用光線路１０５ｂと接続された第１のポートから入力された多重化された上り光信号１０２を第２のポートに出力し、第３のポートに入力された多重化された下り光信号１０１を第１のポートに出力する。
【００２０】
第１の光結合器１６０は、第１のサーキュレーター１９０の第３のポートと第２のサーキュレーター１８０の第２のポートに接続され、下り広帯域光源１１０から入力された下り光１０４を、第１のサーキュレーター１９０の第３のポートに出力し、第２のサーキュレーター１８０を通じて入力を受けた多重化された上り光信号１０２を、第１のサーキュレーター１９０に出力する。また、第１の光結合器１６０は、上り光信号１０２の一部を分割して上り光信号１０２の強度を監視するための第１の監視手段１３０に出力する。
【００２１】
第２の光結合器１５０は、第１のサーキュレーター１９０の第２のポートと第２のサーキュレーター１８０の第３のポートに接続され、上り広帯域光源１２０から入力された上り光１０３を、第２のサーキュレーター１８０の第３のポートに出力し、第１のサーキュレーター１９０を通じて入力を受けた多重化された下り光信号１０１を、第２のサーキュレーター１８０に出力する。また、第１のサーキュレーター１９０から入力された多重化された下り光信号１０１の一部を分割して、第２の監視手段１４０に出力する。
【００２２】
第１の監視手段１３０は上り光信号１０２を監視し、第２の監視手段１４０は下り光信号１０１を監視する。
【００２３】
広帯域光モジュール１００は、第１のサーキュレーター１９０から入力を受けた下り光信号１０１と、第２のサーキュレーター１８０から入力を受けた上り光信号１０２とを各々分割された経路を通じて入出力させることにより、下り及び上り光信号１０１、１０２が経由しなければならない素子の数を最小化する。
【００２４】
図２は、本発明の第２の実施形態による広帯域光モジュールの構成を示すブロック図である。図２に示したように、本発明の第２の実施形態による光通信用光線路２０５ａ、２０５ｂ上に配置された広帯域光モジュール２００は、広い波長帯域の下り光２０４を生成するための下り広帯域光源２１０と、広い波長帯域の上り光２０３を生成するための上り広帯域光源２２０と、第１及び第２のサーキュレーター２８０、２９０と、第１〜第３の光結合器２５０、２６０、２７０と、を含む。
【００２５】
第１のサーキュレーター２８０は、下り広帯域光源２１０に接続された第１のポートと、第１の光結合器２５０と接続された第２のポートと、第２の光結合器２６０と接続された第３のポートとを有する。第１のサーキュレーター２８０は、下り広帯域光源２１０から入力された下り光２０４を第２のポートに出力し、第２のポートに入力された多重化された下り光信号２０１を第３のポートに出力する。
【００２６】
第２のサーキュレーター２９０は、上り広帯域光源２２０と接続された第１のポートと、第１の光結合器２５０に接続された第３のポートと、第２の光結合器２６０に接続された第２のポートとを有し、第１のポートに入力された上り光２０３を第２のポートに出力し、第２のポートに入力された多重化された上り光信号２０２を第３のポートに出力する。
【００２７】
第１の光結合器２５０は、第１のサーキュレーター２８０の第２のポートと第２のサーキュレーター２９０の第３のポートとの間に配置されて光通信用光線路２０５ａと接続され、第２の光結合器２６０は、第１のサーキュレーター２８０の第３のポートと第２のサーキュレーター２９０の第２のポートとの間に配置されて光通信用光線路２０５ｂと接続される。
【００２８】
第３の光結合器２７０は、光通信用光線路２０５ｂ上に第２の光結合器２６０と接続されるように配置されることにより、光通信用光線路２０５ａ、２０５ｂを通じて入力された多重化された上り及び下り光信号２０１、２０２の一部を分割した後、分割された光信号を第１または第２の監視手段２３０、２４０にそれぞれ出力する。
【００２９】
図３は、本発明の第３及び第４の実施形態による広帯域光モジュールを含む受動型光加入者網を示すブロック図である。図３に示したように、本発明の第３の実施形態による受動型光加入者網は、多重化された下り光信号を生成して上り光信号を検出するための中央基地局３１０と、該当下り光信号を検出して波長ロックされた上り光信号を生成するための複数の加入者装置３３１ａ、３３１ｂ、３３１ｃを具備した加入者装置側３３０と、中央基地局３１０と加入者装置側３３０を中継するための地域基地局３２０とを含む。
【００３０】
中央基地局３１０は、波長ロックされた下り光信号を生成するための複数の下り光源３１６と、各加入者装置で生成された該当上り光信号を検出するための複数の光検出器３１５と、波長選択結合器３１４と、下り光信号を多重化させて地域基地局３２０から入力された多重化された上り光信号を逆多重化させて、該当光検出器３１５に出力するための多重化/逆多重化器３１１と、広帯域光モジュール３１２と、光監視手段３１３とを含む。各波長選択結合器３１４は、該当下り光信号を多重化/逆多重化器３１１に出力し、多重化/逆多重化器３１１から入力された該当上り光信号を該当光検出器３１５に出力する。
【００３１】
多重化/逆多重化器３１１は、広帯域光モジュール３１２で生成された下り光を、各々の波長を有する複数の非干渉性チャンネルに分割して、該当波長選択結合器３１４に出力し、各々の波長選択結合器３１４は、該当下り光源３１６に各非干渉性光を出力する。
【００３２】
広帯域光モジュール３１２は、加入者装置側３３０の各加入者装置３３１ａ、３３１ｂ、３３１ｃを波長ロックさせるための上り光と、中央基地局３１０の各々の下り光源３１６を波長ロックさせるための下り光とを生成し、多重化された下り及び上り光信号の一部を分割して光監視手段３１３に出力する。広帯域光モジュール３１２は、光通信用光線路３１７ａにより多重化/逆多重化器３１１に接続し、光通信用光線路３１７ｂにより地域基地局３２０に接続している。
【００３３】
図４は、図３に示された広帯域光モジュールの具体的な構成である本発明の第３の実施形態による広帯域光モジュール３１２ａを示すブロック図である。
【００３４】
図４に示したように、本発明の第３の実施形態による広帯域光モジュール３１２ａは、広い波長帯域の下り光４０４を生成するための下り広帯域光源４１０と、広い波長帯域の上り光４０３を生成するための上り広帯域光源４２０と、第１のサーキュレーター４５０と、第２のサーキュレーター４６０と、第１及び第２の光結合器４３０、４４０とを含む。広帯域光モジュール３１２ａは、波長分割方式の光加入者網を構成する光通信用光線路３１７上に配置されることにより、多重化された下りまたは上り光信号４０１、４０２を入出力する。
【００３５】
第１のサーキュレーター４５０は、第１〜第３のポートを有し、光通信用光線路３１７ａと接続された第１のポートから入力された多重化された下り光信号４０１を第２のポートに出力し、第３のポートに入力された多重化された上り光信号４０２を第１のポートに出力する。
【００３６】
第２のサーキュレーター４６０は、第１〜第３のポートを有し、光通信用光線路３１７ｂと接続された第１のポートから入力された多重化された上り光信号４０２を第２のポートに出力し、第３のポートに入力された多重化された下り光信号４０１を第１のポートに出力する。
【００３７】
第１の光結合器４３０は、第１のサーキュレーター４５０の第３のポートと第２のサーキュレーター４６０の第２のポートに接続され、下り広帯域光源４１０から入力された下り光４０４を、第１のサーキュレーター４５０の第３のポートに出力し、第２のサーキュレーター４６０を通じて入力を受けた多重化された上り光信号４０２を、第１のサーキュレーター４５０に出力する。また、第１の光結合器４３０は、上り光信号４０２の一部を分割して上り光信号４０２の強度を監視するための監視手段３１３に出力する。
【００３８】
第２の光結合器４４０は、第１のサーキュレーター４５０の第２のポートと第２のサーキュレーター４６０の第３のポートに接続され、上り広帯域光源４２０から入力された上り光４０３を、第２のサーキュレーター４６０の第３のポートに出力し、第１のサーキュレーター４５０を通じて入力を受けた多重化された下り光信号４０１を、第２のサーキュレーター４６０に出力する。また、第１のサーキュレーター４５０から入力された多重化された下り光信号４０１の一部を分割して監視手段３１３に出力する。
【００３９】
図４に示したように、広帯域光モジュール３１２ａは、多重化された下り及び上り光信号４０１、４０２を各々の経路を通じて入出力させることにより光損失を最小化する。さらに、下り及び上り光信号４０１、４０２を各々の経路を通じて入出力させることにより損失を最小化して監視手段３１３に提供する。
【００４０】
図５は、図３に示された広帯域光モジュールの具体的な構成である本発明の第４の実施形態による広帯域光モジュール３１２ｂを示すブロック図である。
【００４１】
図５に示したように、本発明の第４の実施形態による光通信用光線路３１７上に配置された広帯域光モジュール３１２ｂは、広い波長帯域の下り光５０４を生成するための下り広帯域光源５１０と、広い波長帯域の上り光５０５を生成するための上り広帯域光源５２０と、第１及び第２のサーキュレーター５３０、５４０と、第１〜第３の光結合器５５０、５６０、５７０とを含む。
【００４２】
第１のサーキュレーター５３０は、下り広帯域光源５１０に接続された第１のポートと、第１の光結合器５５０と接続された第２のポートと、第２の光結合器５６０と接続された第３のポートとを有する。第１のサーキュレーター５３０は、下り広帯域光源５１０から入力された下り光５０４を第２のポートに出力し、第２のポートに入力された多重化された下り光信号５０１を第３のポートに出力する。
【００４３】
第２のサーキュレーター５４０は、上り広帯域光源５２０と接続された第１のポートと、第１の光結合器５５０に接続された第３のポートと、第２の光結合器５６０に接続された第２のポートとを有し、第１のポートに入力された上り光５０５を第２のポートに出力し、第２のポートに入力された多重化された上り光信号５０２を第３のポートに出力する。
【００４４】
第１の光結合器５５０は、第１のサーキュレーター５３０の第２のポートと第２のサーキュレーター５４０の第３のポートとの間に配置されて光通信用光線路３１７ａと接続され、第２の光結合器５６０は、第１のサーキュレーター５３０の第３のポートと第２のサーキュレーター５４０の第２のポートとの間に配置されて光通信用光線路３１７ｂと接続される。
【００４５】
第３の光結合器５７０は、光通信用光線路３１７ｂ上に第２の光結合器５６０と接続されるように配置されることにより、光通信用光線路３１７ａ、３１７ｂを通じて入力された多重化された上り及び下り光信号５０１、５０２の一部を分割した後、分割された光信号を監視手段３１３にそれぞれ出力する。
【００４６】
図３に戻り、光監視手段３１３は、広帯域光モジュール３１２から分割された下り及び上り光信号の一部の入力を受けて、下り及び上り光信号を監視し、その変化によって波長の移動または強度を制御する。
【００４７】
地域基地局３２０は、多重化/逆多重化器３２１を含むことにより、中央基地局３１０から入力を受けた多重化された下り光信号を逆多重化させて、該当加入者装置３３１ａ、３３１ｂ、３３１ｃに出力し、加入者装置側３３０から入力を受けた上り光信号を多重化させて、中央基地局３１０に出力する。また、地域基地局３２０は、広帯域光モジュール３１２から生成された上り光を、各々の波長を有する非干渉性チャンネルに分割して、該当加入者装置３３１ａ、３３１ｂ、３３１ｃに出力し、各々の該当加入者装置３３１ａ、３３１ｂ、３３１ｃは、該当非干渉性チャンネルによって波長ロックされた上り光信号を生成する。
【００４８】
加入者装置側３３０は、複数の加入者装置３３１ａ、３３１ｂ、３３１ｃからなり、各加入者装置３３１ａ、３３１ｂ、３３１ｃは、地域基地局３２０で逆多重化された該当下り光信号を検出するための下り光検出器３３２と、地域基地局３２０で分割された該当非干渉性チャンネルによって波長ロックされた上り光信号を生成するための上り光源３３４とを含む。各加入者装置３３１ａ、３３１ｂ、３３１ｃは、光ファイバーにより地域基地局３２０にリンクされる。
【図面の簡単な説明】
【００４９】
【図１】本発明の第１の実施形態による広帯域光モジュールの構成を示すブロック図である。
【図２】本発明の第２の実施形態による広帯域光モジュールの構成を示すブロック図である。
【図３】本発明の第３及び第４の実施形態による広帯域光モジュールを含む受動型光加入者網を示す図である。
【図４】本発明の第３の実施形態による広帯域光モジュールの具体的な構成を示すブロック図である。
【図５】本発明の第４の実施形態による広帯域光モジュールの具体的な構成を示すブロック図である。
【符号の説明】
【００５０】
１００：広帯域光モジュール
１０５：光通信用光線路
１１０：下り広帯域光源
１２０：上り広帯域光源
１３０：第１の監視手段
１４０：第２の監視手段
１５０：第２の光結合器
１６０：第１の光結合器
１８０：第２のサーキュレーター
１９０：第１のサーキュレーター
【図１】
2006054874.tif 000003
【図２】
2006054874.tif 000004
【図３】
2006054874.tif 000005
【図４】
2006054874.tif 000006
【図５】
2006054874.tif 000007